(57)【要約】      （修正有）【課題】ポイントサービスとセルフリキデーション型の優待サービスとの両方に共用できるポイントカードを含む小売店用販売促進媒体セットを提供する。【解決手段】小売店用販売促進媒体セットは、ポイントカード１と購入券との２種類の媒体を含み、ポイントカード１は、消費者が買い物にポイントが付与される毎にスタンプの捺印で順次埋められる複数のマス目２を備える。そして、所定の配列順位にあるマス目２にはそのときスタンプが捺印されたとき、消費者が獲得できるポイント数を表示する表示部３が設けられている。表示部３を備えるマス目２は、ポイント数に応じて複数設定されており、スタンプの捺印が表示部３を備えるマス目２まで到達したとき、予め小売店が定めた対象商品を特別価格で購入できる購入券を消費者に提供する。【選択図】図１
0003210686.tif 000002
【実用新案登録請求の範囲】
【請求項１】
小売店での買い物に応じてポイントが付与されて、貯まったポイント数に応じて消費者には特典が提供されるポイントサービスを支援する小売店用販売促進媒体セットであって、
消費者に前記ポイントが付与される毎に配列順に沿って所定のマークで順次埋められる複数のマス目を備え、所定の配列順位にある前記マス目にはそのとき前記マークが埋められたとき消費者が獲得できる前記ポイント点数を表示する表示部が設けられているポイントカードと、
消費者が予め小売店が定めた対象商品を購入する際に、特別価格で購入することのできる特別販売サービスが得られる購入券と、
を含み、
前記表示部を備える前記マス目は前記ポイント数に応じて複数設定されており、前記マークが前記表示部を備える前記マス目まで到達したとき消費者に前記購入券を提供することで、前記ポイントサービスと前記特別販売サービスとで共用される小売店用販売促進媒体セット。
【請求項２】
前記マークはスタンプの捺印又はシールチップの貼付であることを特徴とする請求項１に記載の小売店用販売促進媒体セット。
【請求項３】
前記マークは、消費者による買い物の精算時に発行されるレシートに印刷されており、前記レシートから切り取り前記マス目に貼付けるシールであることを特徴とする請求項１に記載の小売店用販売促進媒体セット。
【請求項４】
前記表示部を備える前記マス目どうしの間に配置されている前記マス目の数が前記表示部に表示されているポイント点数の高い前記マス目に進むほど少なくなるように、前記マス目が配列されていることを特徴とする請求項１に記載の小売店用販売促進媒体セット。
【考案の詳細な説明】
【技術分野】
【０００１】
本考案は、小売店の販売を促進するためのツールとなる小売店用販売促進媒体セットに関する。
【背景技術】
【０００２】
従来から商品を販売し又はサービスを提供する小売店等においては、販売促進及び顧客の固定化を図るなどの目的のために、顧客に対して購入額に応じてポイントを付与して、ポイントの累計残高に応じてクーポン券や景品等を提供することが行われている。このようなポイントサービスは、例えば、所定のシート上にシールを貼付たりスタンプを捺印していくことで獲得した累積ポイントを管理するのが一般的である（例えば、特許文献１を参照）。
【０００３】
一方、ポイントサービスで顧客が得られる優待サービスとして、シールやスタンプを所定数貯めることで、顧客が欲しい思える価値のある商品を特別価格で購入することができるようにした、所謂、セルフリキデーション（「自己清算方式」）と称される形態がある。
【先行技術文献】
【特許文献】
【０００４】
【特許文献１】実用新案登録第３１１０９１５号公報
【考案の概要】
【考案が解決しようとする課題】
【０００５】
しかしながら、セルフリキデーション型の優待サービスは、ポイントサービスと異なり特定の期間を設けることで、期間内に所定の買い物実績を積めば価値ある商品を特別価格で購入することができるようにするものである。
【０００６】
したがって、セルフリキデーション型の優待サービスを実施するときには、シールやスタンプを集めていくポイントカードとは別のポイントカードが必要となり、消費者にとって２枚所持するのは煩わしく、小売店にとってもそれぞれのポイントカードを処理するのは業務の効率低下につながる。
【０００７】
本考案は、上記点に鑑みて、ポイントサービスとセルフリキデーション型の優待サービスとの両方に共用できるポイントカードを含む小売店用販売促進媒体セットを提供することを目的とする
【課題を解決するための手段】
【０００８】
本考案は、小売店での買い物に応じてポイントが付与されて、貯まったポイント数に応じて消費者が特典と交換することができるポイントサービスを支援する小売店用販売促進媒体セットであって、消費者に前記ポイントが付与される毎に配列順に沿って所定のマークで順次埋められる複数のマス目を備え、所定の配列順位にある前記マス目にはそのとき前記マークが埋められたとき消費者が獲得できる前記ポイント点数を表示する表示部が設けられているポイントカードと、消費者が予め小売店が定めた対象商品を購入する際に、特別価格で購入することのできる特別販売サービスが得られる購入券と、を含み、前記表示部を備える前記マス目は前記ポイント点数に応じて複数設定されており、前記マークが前記表示部を備える前記マス目まで到達したとき消費者に前記購入券を提供することで、前記ポイントサービスと前記特別販売サービスとで共用可能にした構成である。
【０００９】
前記マークはスタンプの捺印又はシールの貼付である。この場合、消費者による買い物の精算時に発行されるレシートに印刷されて、前記レシートから切り取って前記マス目へ貼り付けるシールであるとよい。そうすることで、スタンプやチップ状の単体のシールを用意する必要がなく実施コストが安価となる。
【００１０】
また、前記表示部を備える前記マス目どうしの間に配置されている前記マス目の数が前記表示部に表示されているポイント点数の高い前記マス目に進むほど少なくなるように、前記マス目が配列されているとよい。これにより、買い物すればするほどポイントと共に購入券が得やすくなるため、消費者の当該小売店での買い物の動機付けを高めることができる。
【考案の効果】
【００１１】
本考案による小売店用販売促進媒体セットは、セルフリキデーション型の優待サービスをポイントサービスのポイント取得と絡めて進行させて、優待サービスの資格を得るまでポイントが貯まると購入券を提供することで、その後も同じポイントカードでポイントサービスでのポイント取得を継続させることができる。よって、消費者への異なる販売促進キャンペーンであるポイントサービスと優待サービスとを、１つのポイントカードで効率良く実施することができる。
【図面の簡単な説明】
【００１２】
【図１】本考案の実施形態に係るポイントカードのカード面の構成図を示す。
【図２】本考案の実施形態に係る購入券の券面の説明図を示す。
【図３】（ａ）はシール付きのレシートの模式図を示し、（ｂ）は購入証明シール付きのレシートを発行するレシートプリンタを内蔵しているキャッシュレジスタの例示図をそれぞれ示す
【図４】図３（ｂ）のキャッシュレジスタの各部の電気的接続をブロック図で示す。
【考案を実施するための形態】
【００１３】
本考案に係る小売店用販売促進媒体セットは、ポイントカード１と購入券４との、２種類の媒体を含む。
【００１４】
先ず、図１によって、ポイントカード１の実施の形態を説明する。ポイントカード１は、そのカード面には、複数のマス目２が横方向に並べられて、このマス目列を縦方向に複数重ねて配置して印刷されている。マス目列は上の段ほどマス目２の数が少なくなるよう階段状に配置される。そして、最下段のマス目列の最左翼のマス目２をスタートにして最上段の最右翼のゴールとなるマス目２までの各マス目２には、配列順位である通し番号が付されている。
【００１５】
ポイントカード１には、小売店での顧客の１回の買い物に応じて、例えば、買い物金額が３００円毎にマス目２にスタンプが捺印されて、スタートからゴールまでのマス目２が順次スタンプで埋められていく。本例では、配列順位で各段のマス目列の最右翼のマス目２までスタンプが到達する度に、積み上げられた所定のポイント数を獲得できるようになっており、このマス目２には獲得した合計のポイント数を表示する表示部３がそれぞれ設けられている。以下、このマス目２を「表示マス目２Ａ」と称する。
【００１６】
マス目列は上段ほどマス目２の数が少なくなるよう階段状にすることで、上のマス目列に進むほど、次の上位の表示マス目２Ａへは、途中に配置されているマス目２の数は少なくなる。よって、上段のマス目列ほどその表示マス目２Ａへは早く到達できるため、現在のポイント数より高いポイント数を獲得しやすい。そして、獲得したポイントの点数に応じて、消費者には買い物での割引や買い物券、或いは現金や景品との交換などの特典が小売店から提供される。
【００１７】
このようにポイントカード１は、小売店がポイントサービスを実施する上での所謂スタンプラリーに用いられるが、これに加えて、小売店がポイントサービスとは別に期間限定で実施する特別販売サービスを実施するときにも使用することができる。ここでの特別販売サービスとは、小売店が予め定めた一つ又は複数の対象商品を一定期間内に特別価格で販売する形式のセルフリキデーション型の販促キャンペーンである。対象商品は、当該小売店では必ずしも取扱いされていなくとも市販されていて、消費者がお金を出してでも購入したい価値ある商品であることが好ましい。本例では、フライパンやキャセロールなどの複数のセラミックの調理器具を対象商品としている。
【００１８】
ポイントカード１を特別販売サービスに使用する場合、ポイントサービスでのスタンプのマス目２への捺印が何れかの表示マス目２Ａに達したとき、消費者は当該表示マス目２Ａの表示部３に表示されているポイント数と共に対象商品を特別価格で購入できる特別販売サービスの資格も獲得する。しかし、ポイントサービスは期間限定ではなく長期間で実施されるため、特別価格で対象商品を購入するときにポイントカード１を小売店に提出してしまうと、その後はスタンプラリーを継続させることができなくなる。そこで、ポイントカード１にスタンプを捺印したとき、表示マス目２Ａに到達しているときには、小売店から消費者に購入券４を発行することでポイントカード１の継続使用を可能にしている。
【００１９】
購入券４は、図２に示すように、券面には特別販売サービスの対象商品と購入可能期間とが表示されている。よって、購入券４を所持する消費者は、表示の購入期間内においては、購入券４を小売店に提示することにより、対象商品を特別価格で購入することができる。
【００２０】
このように、消費者は同じポイントカード１を用いて、ポイントサービスと特別販売サービスの両方のキャンペーンに参加することができる。そして、何れの表示マス目２Ａに到達したときに購入券４を発行するかは、予め小売店が判断して設定するが、本例では特別価格で販売する対象商品を複数の商品に設定して、各段の表示マス目２Ａへ到達する度に購入券４を発行するようにしている。したがって、ポイントサービスと同様に、マス目列が上に行く程に、購入券４が得やすくなる。
【００２１】
上記の実施の形態では、スタンプの捺印によりマス目１をマークで埋めているが、シールを貼付けることでマス目１をマークで埋めてもよい。シールの場合、裏面に接着剤が塗られている紙片を台紙から剥がして貼り付ける一般的なシールチップが使用されるが、この種のタイプのシールは費用が高価となる。
【００２２】
そこで、図３に示すように、精算時にキャッシュレジスタ５から発行されるレシート６にシール７を印刷して発行するのが費用的に有利となる。レシート６は買い物の精算時に消費者に渡されるものであるから、そこに印刷されたシール７は確実に消費者に提供される。そして、消費者は、レシート６からシール７を切り取って、ポイントカード１のマス目２へ貼り付けることでマス目２を埋める。図３（ａ）に示すレシート６には、９５０円の買い物の明細と共に３個の購入証明シール１が印刷されており、精算金額が３００円毎に１個の購入証明シール１が印刷される。
【００２３】
図４は、このようなシール７付きのレシート６を印刷する図３（ｂ）のキャッシュレジスタ５の各部の電気的接続を示している。まず、各種処理を統括して制御するＣＰＵ２１が設けられ、このＣＰＵ２１には動作プログラム等の固定データを格納するＲＯＭ２２と、可変データを格納するＲＡＭ２３とが接続され、このＲＡＭ２３には、ＰＬＵ（Ｐｒｉｃｅ  Ｌｏｏｋ  Ｕｐ）ファイル２３ａ及びシールイメージファイル２３ｂ等が格納されている。そして、ＣＰＵ２１には、ドロワ２５、キー入力装置２６、表示部２７、レシートプリンタ２８、及びバーコードスキャナ２９が接続されている。
【００２４】
ＰＬＵファイル２３ａは、バーコードスキャナ２９によって読み取られる商品コードと商品名と価格とを対応させて記憶している。シールイメージファイル２３ｂは、レシートプリンタ２８がレシート６に印刷するシール７のイメージデータを記憶している。これらのＰＬＵファイル２３ａ及びシールイメージファイル２３ｂは、上位のコンピュータとの通信によりダウンロードされてＲＡＭ２３に格納される。
【００２５】
キャッシュレジスタ５は、広告等の任意の情報をＲＡＭ２３に記憶させることで、売上明細以外にこれらの情報をレシート６に印刷できるような機能を備えている。したがって、シールイメージファイル２３ｂをＲＡＭ２３に記憶させることで、レシート６にシール７を印刷することは容易に実現できる。この場合、ＲＯＭ２２の動作プログラムには、消費者の買い物の精算金額に応じて購入証明シール１の数を決定し、決定した数の購入証明シール１を売上明細と共にレシート原紙に印刷するようレシートプリンタ２８を制御する手順が組み込まれている。
【００２６】
以上詳述したポイントカード１と購入券４とを含む小売店用販売促進具は、ポイントサービスのスタンプラリーと、セルフリキデーション型の優待サービスを目指してのポイントの獲得の進行とを、一つのポイントカード１で実施することができる。よって、消費者にとってはスタンプラリーを行いながら優待サービスの資格獲得を目指すことができるため効率的であり、積極的に当該小売店で買い物する意識を高めることから、小売店の販売促進に大きく貢献できる。
【００２７】
また、マス目１を埋めるマークとしてのシール７をレシート６に印刷して消費者に提供することで、手渡すのに手間も掛らず、またレシート６は必ず発行されるものであるからシールは確実に消費者に渡される。
【符号の説明】
【００２８】
１    ポイントカード
２    マス目
３    表示部
４    購入券
６    レシート
７    シール（マーク）
【図１】
0003210686.tif 000003
【図２】
0003210686.tif 000004
【図３】
0003210686.tif 000005
【図４】
0003210686.tif 000006